(57)【特許請求の範囲】
【請求項１】
搬送される原稿と対向する第１の透光部材と、前記第１の透光部材を介して原稿画像を読み取る第１の読取手段と、原稿の搬送方向における白基準であり、前記第１の読取手段で読み取られる第１の基準部と、を備える第１画像読取部と、
搬送される原稿と対向する第２の透光部材と、前記第２の透光部材を介して原稿画像を読み取る第２の読取手段と、原稿の搬送方向における白基準であり、前記第２の読取手段で読み取られる第２の基準部と、を備える第２画像読取部と、
を有し、
前記第１の透光部材、前記第１の読取手段及び前記第１の基準部は、原稿の第１面側に設けられ、前記第２の透光部材、前記第２の読取手段及び前記第２の基準部は、原稿の第１面とは反対側の第２面側に設けられ、搬送される原稿の両面画像を読み取り可能な画像読取装置において、
前記第１の基準部及び前記第２の基準部は、原稿画像読取領域外に設けられており、
前記第２画像読取部は、前記第１画像読取部に対して、原稿の搬送方向と直交する方向の一端でヒンジにより回転可能に接続されており、原稿の搬送方向と直交する方向において前記第２の基準部の幅が前記第１の基準部の幅より大きいことを特徴とする画像読取装置。
【請求項２】
前記第１の読取手段は、静止した原稿と搬送中の原稿を読取可能であり、前記第２の読取手段は、搬送中の原稿のみを読み取ることを特徴とする請求項１に記載の画像読取装置。
【請求項３】
前記第１の基準部は、前記第１の透光部材の原稿搬送側の面とは反対側に設けられ、前記第２の基準部は、前記第２の透光部材の原稿搬送側の面とは反対側に設けられていることを特徴とする請求項１に記載の画像読取装置。
【発明の詳細な説明】
【０００１】
【発明の属する技術分野】
本発明は、例えば読取ユニット等の画像読取手段を走査させて透光部材上の原稿の画像を読み取る画像読取装置に関するものである。
【０００２】
【従来の技術】
従来の画像読取装置における原稿の画像読取においては、主に以下の２つの画像読取方法がある。
【０００３】
１つ目は、透光部材としての原稿台ガラス上に原稿を所定の方法でセットし、原稿台ガラス上に固定配置された原稿を移動可能な画像読取手段としての光学キャリッジによってスキャンすることで、原稿上の画像を読み取る原稿固定読み取り方式。
【０００４】
また、他方の２つ目は、原稿を所定の搬送スピードで搬送させて、固定の光学キャリッジを配置した所定の読取部にて読み取る原稿流し読み方式である。
【０００５】
後者の原稿流し読み方式は、前者の原稿固定読み取り方式に比較して光学キャリッジを固定できて、かつ毎回光学キャリッジを往復移動する必要がない等のメリットがある。
【０００６】
また、複写機などで用いられる画像読取部においては、近年のデジタル化に伴って、複数部コピーでも画像の読み取りが１度で良くなったため、原稿流し読み方式による画像読み取りのメリットが非常に大きくなってきた。
【０００７】
すなわち、デジタルで画像を読み取り記録することで、複数部コピーの場合においても、１度の流し読みによって画像をデジタルして保存し、必要な枚数分画像をメモリすることができるようになった。
【０００８】
このように、近年では読み取り画像をメモリすることができるようになってくると、画像読取装置としてはいかに高速で読み取れることができるかが要求されてくる。
【０００９】
【発明が解決しようとする課題】
しかしながら、上記のような従来技術の場合には、画像読取時にシェーディング補正を行うための白基準板を読み取り、読み取り画像の白基準を定めることが必要であった。
【００１０】
この白基準板には、（１）読み取りのための原稿搬送による白基準板の汚れの発生、（２）白基準板の清掃が正しく行うことができない、（３）白基準板の定期メンテナンスなどの必要、といった以上の問題点があった。
【００１１】
本発明は上記の従来技術の課題を解決するためになされたもので、その目的とするところは、安定した白基準を容易に維持可能とする画像読取装置を提供することにある。
【００１２】
【課題を解決するための手段】
上記目的を達成するために本発明にあっては、
搬送される原稿と対向する第１の透光部材と、前記第１の透光部材を介して原稿画像を読み取る第１の読取手段と、原稿の搬送方向における白基準であり、前記第１の読取手段で読み取られる第１の基準部と、を備える第１画像読取部と、
搬送される原稿と対向する第２の透光部材と、前記第２の透光部材を介して原稿画像を読み取る第２の読取手段と、原稿の搬送方向における白基準であり、前記第２の読取手段で読み取られる第２の基準部と、を備える第２画像読取部と、
を有し、
前記第１の透光部材、前記第１の読取手段及び前記第１の基準部は、原稿の第１面側に設けられ、前記第２の透光部材、前記第２の読取手段及び前記第２の基準部は、原稿の第１面とは反対側の第２面側に設けられ、搬送される原稿の両面画像を読み取り可能な画像読取装置において、
前記第１の基準部及び前記第２の基準部は、原稿画像読取領域外に設けられており、
前記第２画像読取部は、前記第１画像読取部に対して、原稿の搬送方向と直交する方向の一端でヒンジにより回転可能に接続されており、原稿の搬送方向と直交する方向において前記第２の基準部の幅が前記第１の基準部の幅より大きいことを特徴とする。
【００２１】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００２２】
（第１の実施の形態）
図１は本発明の特徴を最も良く表す図面であり、同図において以下に説明する。１は原稿を固定配置して原稿の画像を読み取ることができるフラットベッド画像読取部（ＦＢ）であり、２はＦＢ１の上面に取り付けられたＡＤＦであり、積載された原稿を１枚ずつ給紙搬送する装置である。
【００２３】
３はＦＢ１の上面に配置された透光部材としての原稿台ガラス、４は原稿台ガラス３上の原稿をスキャンするための画像読取手段としての光学キャリッジＡ、５は光学キャリッジＡ４を移動するための駆動伝達用の駆動ベルト、６は駆動ベルト５を駆動するためのキャリッジ駆動モータ、７は光学キャリッジＡ４の上面に配置されたランプである。
【００２４】
また、光学キャリッジＡ４内には、ランプ７によって原稿から反射した反射光を所定の光路に導くための反射ミラー８、反射ミラー８によって導かれた光を受光して得られた画像を電気信号に変換するためのＣＣＤ９、反射ミラー８によって反射された光をＣＣＤへ集光するための集光レンズ１０が備えられている。
【００２５】
１１は原稿台ガラス３上に設けられ、原稿台ガラス３上で画像を読み取るための原稿突き当て基準板、１２はＡＤＦ２に設けられ、原稿の幅方向の規制をするための原稿サイド規制板、１３は原稿積載トレイである。
【００２６】
１４は原稿積載トレイ１３上に配置され、原稿の長さを検知するための原稿長さ検知レバー、１５は原稿の先端を検知して原稿の有無を知るための原稿有無センサレバーである。
【００２７】
１６は原稿の先端を上方から押さえるためのウエイト、１７は原稿の先端が分離給紙部に入り込むのを防ぐための原稿シャッタ、１８は積載原稿の最下原稿から給紙するための給紙ピックアップローラ、１９は原稿の搬送方向と反対方向に回転駆動された分離ベルト、２０は分離ベルト１９と対向して設けられた給紙ローラである。
【００２８】
２１は原稿の先端を検知して原稿のループ作成のタイミングをとるためのレジスト前センサレバー、２２はレジストローラ対、２３はレジストローラ対２２により搬送された原稿の先端を検知するための原稿先端検知レバー、２４は原稿台ガラス３と対向して設けられた原稿搬送上ガイドであり、原稿を原稿台ガラス３と原稿搬送上ガイド２４で設けた所定の隙間で搬送させて、画像を読み取る。
【００２９】
２５は光学キャリッジＡ４によって流し読みで原稿の片面を読み取るための第１の読取ポイント、２６は光学キャリッジＡ４と原稿を挟んで対向した位置に設けられた流し読み専用の画像読取手段としての第２の光学キャリッジＢであり、第２の光学キャリッジＢ２６内には光学キャリッジＡ４と同様の反射ミラーとＣＣＤ等が配置されている。
【００３０】
２７は第２の光学キャリッジＢ２６によって流し読みで原稿の片面の画像を読み取るための第２の読取ポイントである。
【００３１】
２８は原稿を機外に排出するための排紙ローラ対、２９はＦＢ１の機外側面に設けられ、排紙ローラ対２８によって排出された原稿を積載するための排紙トレイである。
【００３２】
図２はＡＤＦ２を開放した状態を示しており、同図において、３０はＦＢ１にＡＤＦ２を回転可能に接続するためのヒンジ、３１は原稿台ガラス３上に置いた原稿を原稿台ガラス３に押圧するための圧板である。
【００３３】
図３は原稿台ガラスに設けた白基準板の構成を示しており、光学キャリッジＡ４の流し読み時に原稿の副走査方向の白基準として使用する白基準板４１は、原稿台ガラス３の原稿搬送とは逆の裏面に設けてある。第２の光学キャリッジＢ２６の流し読み時に原稿の副走査方向の白基準として使用する白基準板４２は、第２の光学キャリッジＢ２６と原稿の間に介在する透光部材としての原稿台ガラス４３の原稿搬送とは逆の裏面に設けてある。
【００３４】
即ち、白基準板４１は、原稿台ガラス３の光学キャリッジＡ４配置側に設けられ、白基準板４２は、原稿台ガラス４３の第２の光学キャリッジＢ２６配置側に設けられている。
【００３５】
また、各白基準板４１，４２は、原稿画像読取領域外に配置されている。これにより、読み取り画像内で原稿画像読取領域と白基準とが重なることを防止している。
【００３６】
図４に示したのが、ジャム処理時におけるＡＤＦ２の開放状態を示したものであり、３５はジャム処理レバー、３６はジャムした原稿を取り除く場合に開放するＡＤＦ２のジャム処理開閉部である。
【００３７】
第２の光学キャリッジＢ２６は、図５に示したように、原稿台ガラス３にその一部の凸部２６ａを突き当てる構成になっていることにより、原稿台ガラス３に対して非常に精度が高く、高さ方向の位置決めが行われている。
【００３８】
また、原稿搬送上ガイド２４は第２の光学キャリッジＢ２６に対して揺動可能に接続され、第２の光学キャリッジＢ２６に対して原稿を案内し易く構成されている。同時に、原稿搬送上ガイド２４はその一部の凸部２４ａを原稿台ガラス３に突き当てているため、原稿の搬送位置と原稿搬送パスが正確に確保されて位置決めされている。
【００３９】
上記構成において、以下にその動作を説明する。
【００４０】
まず、ＦＢ１での原稿固定読み取り方式について説明する。ＦＢ１での原稿固定読み取りの場合には、ＡＤＦ２を開放し、原稿を原稿台ガラス３上に置き、原稿位置を原稿突き当て基準板１１に突き当てて原稿をセットする。次に、ＡＤＦ２を閉めることで原稿は圧板３１によって原稿台ガラス３に押圧される。これにより、原稿のカール等が矯止されて、原稿台ガラス３上に原稿が密着する。
【００４１】
その後、操作者が不図示の原稿読み取り開始ボタンを押すことで原稿の読み取りを開始する。まずはじめに、光学キャリッジＡ４は駆動モータ６によって駆動ベルト５が移動し、光学キャリッジＡ４はキャリッジホームポジションヘ移動する。
【００４２】
次に、主走査方向のイニシャルを行うために、原稿台ガラス３の裏（光学キャリッジＡ４）側に設けられた白基準板４１ヘ光学キャリッジＡ４を移動し、白基準を読み取る。これによって、ランプ７とＣＣＤ９の補正を実施する。
【００４３】
その後、光学キャリッジＡ４は読み取り開始位置へ移動し、読み取り開始位置から原稿読み取り位置まで加速を行う。光学キャリッジＡ４が所定の加速速度に達した後、光学キャリッジＡ４は原稿突き当て基準板１１の原稿先端位置に到達する。
【００４４】
その後、光学キャリッジＡ４は一定の所定速度で移動しながら、原稿を読み取って行く。
【００４５】
原稿の全てを読み取った後は、光学キャリッジＡ４は駆動モータ６の反転駆動により読み取り方向とは逆方向に反転して移動し、所定の待機位置に戻る。
【００４６】
次に、流し読み方式の場合について説明する。流し読みの場合には、原稿をＡＤＦ２の原稿積載トレイ１３上に積載する。ＡＤＦ２は原稿が原稿積載トレイ１３上に置かれたことを原稿長さ検知レバー１４と原稿有無センサレバー１５により知ることができる。
【００４７】
また、操作者が原稿サイド規制板１２により原稿の幅を設定したことによって、原稿長さ検知レバー１４との検知の組み合わせによって、原稿のサイズを知ることができる。
【００４８】
上述の状態にて、操作者が不図示の原稿読み取り開始ボタンを押すと、原稿先端を規制していた原稿シャッタ１７が開放され、ウエイト１６と給紙ピックアップローラ１８によって原稿の分離給紙部へ積載原稿を搬送する。そして、積載原稿は分離ベルト１９と給紙ローラ２０により１枚づつ分離給送される。
【００４９】
分離給送された原稿の先端がレジストローラ対２２に到達し、レジスト前センサレバー２１によって所定のループを形成した後、給紙ローラ２０の回転を停止する。所定のタイミングの後に、レジストローラ対２２が回転を開始し、原稿を搬送する。
【００５０】
搬送された原稿の先端は、原稿先端検知レバー２３によって検知され、原稿が原稿読み取り位置に到達する時間を決定する。原稿は、原稿搬送上ガイド２４によって光学キャリッジＡ４で画像読み取りを行う第１の読取ポイント２５に案内される。
【００５１】
上記の原稿の搬送と同時に、光学キャリッジＡ４及び第２の光学キャリッジＢ２６のそれぞれで、下記のイニシャル動作が行われる。光学キャリッジＡ４は、原稿がＡＤＦ２で読み込まれると指定をされ、操作者が原稿読み取り開始ボタンを押した後、原稿が第１の読取ポイント２５に達する前にシェーディング補正を行う。
【００５２】
具体的な光学キャリッジＡ４の動作を説明する。光学キャリッジＡ４は、ランプ７を点灯し、第１の読取ポイント２５に移動する。そして、第１の読取ポイント２５の原稿台ガラス３裏側に設けられた白基準板４１を読み取り白基準の補正を行う（シェーディング補正）。その後、光学キャリッジＡ４は、第１の読取ポイント２５で原稿の到達を待つ。
【００５３】
また、第２の光学キャリッジＢ２６も光学キャリッジＡ４と同様に、原稿が第２の読取ポイント２７に到達する前に、第２のキャリッジＢ２６内のランプが点灯し、第２の読取ポイント２７の原稿台ガラス４３裏側に設けられた白基準板４２を読み取り白基準の補正を行う（シェーディング補正）。
【００５４】
上記で説明したシェーディング補正を実施した後、原稿は第１の読取ポイント２５に到達し、原稿が所定の搬送スピードで搬送されながら、原稿の一方の片面画像が準じ読み取られて行く。また、さらに原稿が第２の読取ポイント２７に搬送されて行き、第２の読取ポイント２７では第２の光学キャリッジＢ２６で原稿の他方の片面画像が順次読み取られて行く。
【００５５】
原稿の先端は、第２の読取ポイント２７を通過した後、排紙ローラ対２８によって搬送され、原稿の全ての画像を読み取った後は排紙トレイ２９に原稿を排出する。
【００５６】
以上が、原稿をＡＤＦ２で読み取るときの一連の流れである。
【００５７】
図３に示したのは、原稿がＡＤＦ２でジャムしたときのジャム処理動作を説明したものであり、ＡＤＦ２での原稿ジャムが発生したときには、原稿搬送路上に配置されたレジスト前センサレバー２１と、原稿先端検知レバー２３により原稿のジャムを検知する。原稿のジャムを検知するとＡＤＦ２の原稿搬送が停止され、原稿がジャムしたことを操作者に知らせる。操作者は、ジャム処理レバー３５を操作して、ＡＤＦ２のジャム処理開閉部３６を図４のように開放する。この状態で、ジャムした原稿を用意に取り除く。
【００５８】
このとき、ジャム処理開閉部３６を開放することによって第２の光学キャリッジＢ２６も同時に所定の回転中心で回転し開放される。操作者がジャム処理を行った後は、ジャム処理開閉部３６を閉じるが、この時第２の光学キャリッジＢ２６の一部の凸部２６ａが原稿台ガラス３に突き当たり、第２の光学キャリッジＢ２６の高さが正確に位置決めされる。また、同時に原稿搬送上ガイド２４の一部の凸部２４ａが原稿台ガラス３に突き当たり、原稿の搬送パスを確実に確保できる。
【００５９】
以上の構成の画像読取装置では、白基準板４１は原稿台ガラス３の光学キャリッジＡ４配置側に設けられ、また、白基準板４２は原稿台ガラス４３の第２の光学キャリッジＢ２６配置側に設けられているので、従来懸念された、原稿搬送時の原稿と白基準板４１，４２との接触を起因とする原稿搬送による白基準板４１，４２の汚れの発生、白基準板４１，４２へのユーザの接触を起因とする白基準板４１，４２の汚れの発生、白基準板４１，４２が時間を経て汚れていく、といったことが防止できる。
【００６０】
即ち、原稿搬送時に原稿と白基準板４１，４２が接触することがなく、原稿搬送では白基準板４１，４２を汚すことがない。また、白基準板４１，４２にユーザが触れることができず、ユーザが不用意に白基準板４１，４２を汚すことがない。さらに、原稿台ガラス３，４３の光学キャリッジＡ４，Ｂ２６の配置側は装置内部側であり、外部との接触もないことから、白基準板４１，４２が時間を経て汚れていくこともない。
【００６１】
したがって、白基準板４１，４２のメンテナンスが不必要となり、白基準板４１，４２は常に安定した白基準を容易に維持することができる。
【００６２】
（第２の実施の形態）
図６は、第２の実施の形態を示しており、以下構成を説明する。なお、本実施の形態では、画像読取装置に係る説明は先の実施の形態で説明したので省略し、その特徴部分のみを説明する。
【００６３】
６１は画像読取部Ａ側（下側（第１の実施の形態のＦＢ１側））のプラテンガラス、６２は画像読取部Ａ側の白基準板Ａ、６３は画像読取部Ｂ側（上側）のプラテンガラス、６４は画像読取部Ｂ側の白基準板Ｂである。
【００６４】
白基準板Ａ６２，Ｂ６４は、各プラテンガラス６１，６３の光学キャリッジ配置側に設けられている。
【００６５】
画像読取部Ａ側は原稿の読み取り画像の画像処理領域における横レジ位置は固定された側であり、画像読取部Ｂ側は横レジ調整後に画像読取部Ａ側の読み取り画像の画像処理領域に合わせた読み取り画像の画像処理領域に変更するために、原稿の幅方向で読取開始位置を調整可能になっている。
【００６６】
ここで、本実施の形態の特徴として、白基準板Ａ６２は白基準板Ｂ６４より原稿幅方向で小さい。これは、白基準板Ｂ６４は、画像読取部Ｂ側の読み取り画像の横レジ調整によるズレを許容し、画像読取部Ｂ側の読み取り画像の横レジ調整後の画像処理領域上の白基準の位置を、画像読取部Ａ側の読み取り画像の画像処理領域上の白基準の位置と等しくするためである。
【００６７】
上記構成において、白基準板と横レジ調整について説明する。画像読取部Ｂ側の原稿幅方向の読取領域は、画像読取部Ａ側のそれに対して原稿搬送方向と直交する原稿幅方向で所定の量だけ横レジシフト可能に構成されている。これは、原稿の画像を読み取る時の原稿表裏の横レジ調整を行うためであるが、初期状態では、メカ的に横レジ方向を表裏で合わせるのは困難である。
【００６８】
したがって、表裏の横レジ調整のためのサンプル原稿を用いて表裏の画像を読み取り、画像読取部Ａ側の読み取り画像の画像処理領域に対して画像読取部Ｂ側の読み取り画像の画像処理領域の横レジをずれ量だけシフトして出力するように設定する。
【００６９】
このような有効画像エリアの読み取りに対して、白基準板Ａ６２，Ｂ６４を原稿幅方向の端部に設けるため、画像読取部Ｂ側では、画像読取部Ａ側に対して横レジ調整分のズレを許容するために、画像読取部Ｂ側の白基準板Ｂ６４は画像読取部Ａ側の白基準板Ａ６２よりも大きく設けられている。
【００７０】
このようにすることで、横レジ調整後の読取開始位置から白基準板の読取位置までを、画像読取部Ａ，Ｂ側共に同じにできるため、画像処理領域上の白基準の位置を表裏の画像処理領域上で決められた位置に固定することができる。
【００７１】
【発明の効果】
以上説明したように、本発明は、白基準板のメンテナンスが不必要となり、白基準板は安定した白基準を容易に維持することができる。
【図面の簡単な説明】
【図１】第１の実施の形態に係る画像読取装置を示す主断面図である。
【図２】第１の実施の形態に係る画像読取装置でＡＤＦを開放した状態を示す図である。
【図３】第１の実施の形態に係る画像読取装置の流し読み時の読取位置を示す斜視図である。
【図４】第１の実施の形態に係る画像読取装置でジャム処理時にＡＤＦを開放した状態を示す図である。
【図５】第１の実施の形態に係る画像読取装置の光学キャリッジを示す詳細図である。
【図６】第２の実施の形態に係る画像読取装置の流し読み時の読取位置を示す図である。
【符号の説明】
１  ＦＢ
２  ＡＤＦ
３  原稿台ガラス
４  光学キャリッジＡ
５  駆動ベルト
６  駆動モータ
７  ランプ
８  反射ミラー
１０  集光レンズ
１１  基準板
１２  原稿サイド規制板
１３  原稿積載トレイ
１４  検知レバー
１５原稿有無センサレバー
１６  ウエイト
１７  原稿シャッタ
１８  給紙ピックアップローラ
１９  分離ベルト
２０  給紙ローラ
２１  レジスト前センサレバー
２２  レジストローラ対
２３  原稿先端検知レバー
２４  原稿搬送上ガイド
２４ａ  凸部
２５  第１の読取ポイント
２６  第２の光学キャリッジＢ
２６ａ  凸部
２７  第２の読取ポイント
２８  排紙ローラ対
２９  排紙トレイ
３１  圧板
３５  ジャム処理レバー
３６  ジャム処理開閉部
４１，４２  白基準板
４３  原稿台ガラス
６１，６３  プラテンガラス
６２  白基準板Ａ
６４  白基準板Ｂ
【図１】
0004447740.tif 000002
【図２】
0004447740.tif 000003
【図３】
0004447740.tif 000004
【図４】
0004447740.tif 000005
【図５】
0004447740.tif 000006
【図６】
0004447740.tif 000007